(57)【特許請求の範囲】
【請求項１】
記録媒体はそれぞれが２０４８バイトである情報ブロックを含み、すくなくとも２つの情報ブロックはビデオマネージャ（ＶＭＧ）に属する情報ブロックを指示する指示子（ＶＭＧ−ＢＺ）を持ち、該ビデオマネージャは情報ブロック中で指示子（ＶＭＧ−ＢＺ）から始まる、ＤＶＤフォーマットに従って記録された情報を有する記録媒体用の再生装置において、
各記録されたブロックの所定の位置で、所定の数の記録されたバイト列と、前記所定の数のバイト列である前記指示子（ＶＭＧ−ＢＺ）と、を比較し、前記指示子（ＶＭＧ−ＢＺ）を見つける検索手段と、
コンテンツディレクトリから独立して情報ブロックにデータアクセスするため、前記ビデオマネージャ（ＶＭＧ）に属する情報ブロックの数を示している前記見つけられた指示子（ＶＭＧ−ＢＺ）に後続する所定の数のバイト列を評価するための評価手段と、
を有していることを特徴とする再生装置。
【請求項２】
前記検索手段は、前記ビデオマネージャ指示子（ＶＭＧ−ＢＺ）が見つかるまで、各記録されたブロックの最初の１２バイトとビデオマネージャ指示子（ＶＭＧ−ＢＺ）との比較するための比較手段を有することを特徴とする請求項１に記載の再生装置。
【請求項３】
情報ブロック中の前記見つけられた指示子に後続する前記所定の数のバイト列は、前記指示子に直ぐに後続する４バイトであることを特徴とする請求項１に記載の再生装置。
【請求項４】
前記検索手段を用いて見つけられた前記指示子は、情報ブロック中の本当の指示子または前記指示子のバックアップが見つかったことが保証され、それとそのバックアップとを区別するために、前記評価手順でチェックされることを特徴とする請求項１に記載の再生装置。
【請求項５】
前記チェックは、ビデオタイトル設定が前記指示子に後続するかどうかについて調査することを含み、後続した場合、前記見つけられたビデオマネージャ指示子（ＶＭＧ−ＢＺ）は、ビデオマネージャ指示子（ＶＭＧ−ＢＺ）のバックアップと認定することを特徴とする請求項４に記載の再生装置。
【請求項６】
ビデオマネージャ情報（ＶＭＧＩ）の本当の指示子またはビデオマネージャ情報（ＶＭＧＩ（ｂａｃｋｕｐ））のバックアップの指示子が見つかったことを保証するチェックのため、ビデオマネージャ情報（ＶＭＧＩ）の端アドレスは、ビデオマネージャ（ＶＭＧ）の端アドレス（ＶＭＧ＿ＥＡ）から引かれ、ビデオマネージャ指示子（ＶＭＧ−ＢＺ）が見つかった論理セクタ番号（ＬＳＮ）が、ビデオマネージャ指示子（ＶＭＧ−ＢＺ）またはビデオマネージャ情報（ＶＭＧＩ（ｂａｃｋｕｐ））のバックアップ内の指示子（ＶＭＧ−ＢＺ）であるかどうかについて特有の関係を保証することを特徴とする請求項４に記載の再生装置。
【発明の詳細な説明】
【０００１】
【発明の属する技術分野】
本発明は、情報ブロックを含む記録媒体用の再生装置に関する。該情報ブロックは、ファイル及び情報にアクセスする独立したコンテンツディレクトリである手段を有する。該ファイル及び情報は、ハードディスク、ＤＶＤ、ＣＤ−ＲＯＭ若しくはフロッピーディスクと称されるデジタル汎用ディスク、又はデータテープにおけるビデオ情報のようなものである。これらは、イエローブックと称される記録フォーマットを有する。
【０００２】
【従来の技術】
音声シーケンス用のデジタル記録媒体として初期に開発されたＣＤは、情報ブロック内に記憶された情報を記録及び／又は再生するために、多数の項目を既に有する。
【０００３】
しかしながら、データ媒体としてＣＤを用いることを可能にするために、追加項目が必要とされる。
【０００４】
音声ＣＤの場合、データはトラック内に記憶され、時間符号は個々のセクタに配置することで十分であるが、一方で、セクタには、追加のヘッダと、更なるエラー訂正層と、ディスクにおけるデータ管理用のファイルシステムとが与えられる。従来のＣＤにおけるサブチャネル内に収容された情報の多くは、ヘッダに入る。従って、原理的に、ＤＶＤについて、変更は、サブチャネルを介してアドレスすることからなされ、全てのタイプのデータに対するセクタの大きさは、２０４８バイトに限定される。データセキュリティのために、ＣＤ−ＲＯＭ及びＤＶＤのデータは、連続的に互いに物理的に後続して配置されない。しかし、特別のアルゴリズムを用いてディスク上にデータパケットで分散される。これは、ＣＤ−ＲＯＭよりもＤＶＤの方がより複雑である。各セクタ内のデータは、複数列に配置され、インターリーブされ、同期符号を用いて２つのブロックに分割された記録セクタと称される比較的小さいパケットでＤＶＤに記憶される。ＤＶＤビデオについては、また、コピープロテクション及び先のデータ整理によって補足される。記録媒体の情報ブロックと称されるものの中に情報が記憶されるために、ＣＤに類似の方法で絶対関係時間符号を用いて再生することは、根本的に不可能である。しかしながら、原理的に、（レイヤと称される）情報層は、ＣＤと同じ方法でリードＩＮ、プログラム領域及びリードＯＵＴに分割される。サブチャネルを有さないＤＶＤの場合のコンテンツディレクトリは、セクタ内に収容され、ファイルを記録媒体上に配置するのに用いるファイルシステムと称されるものを参照する。コンピュータのハードディスクのような用途のためのファイルシステムと、ＩＳＯ９６６０規格に従って構成されたＣＤ−ＲＯＭと、ＵＤＦフォーマットに従って設計されたＤＶＤとは、更なる相違点を有する。
【０００５】
【発明が解決しようとする課題】
本発明の目的は、例えば、コンテンツディレクトリ又はファイルシステムが損傷され、コンテンツディレクトリが簡単な方法で再構成できるサブチャネルで利用できず、用途に依存して異なるとしても、ファイル及び情報にアクセスするために独立したコンテンツディレクトリである手段を有する、情報ブロックを含む記録媒体用の再生装置を提供することである。
【０００６】
この目的は、独立請求項に記載された手段によって達成でき、洗練された効果及び発展が従属請求項に記載されている。
【０００７】
本発明の一実施形態は、ファイルシステム用のコンテンツディレクトリが損傷され、異なるファイルシステムを使用するにも関わらず、重要なファイル及び情報にアクセスすることができる。
【０００８】
【課題を解決するための手段】
本発明によれば、検索は、この目的のために、記録媒体のブロック内で、配置されるファイルの特徴機能を用いて行われる。それは、情報ブロックを有する記録媒体が指示子と称されるものを有することが分かる。コンテンツディレクトリが読み出せず且つ異なるファイルシステムで使用されるにも関わらず、指示子は、再生に必要なファイルを配置する効果的な方法に適する。欠陥又は損傷のコンテンツディレクトリに起因して、たとえ指示子の物理的位置が最初にわからなくても、例えばＤＶＤビデオの場合、通常１２バイトであるその長さに基づいて、及びセクタ又はクラスタの開始のその位置に基づいて、最初に確認される。このような指示子が見つかると、それは通常（日がわかるシステムにおいて）ビデオマネージャ指示子自身又はそのバックアップであり、ＤＶＤの場合、ＤＶＤＶＩＤＥＯ−ＶＭＧと同じ方法で指示される。これが所望の指示子であることを完全に確認するために、更なる曖昧チェックが実行される。例えば、ビデオタイトル設定に後続されるビデオマネージャかどうか決定するためのチェック、又はビデオマネージャに含まれたビデオマネージャの端アドレスを用いるチェックを実行することができる。ビデオマネージャ記述子に後続する４バイトには、ビデオマネージャの端アドレスを記述する。ビデオマネージャ＋１の端アドレスの値は、ビデオマネージャを構成する２０４８バイトのブロック数である。従って、ビデオマネージャ長とビデオマネージャの最初のクラスタ番号とがわかる。クラスタ番号は、最初のビデオマネージャ指示子が配置されるその位置から得られる。この位置は、ビデオマネージャ指示子との比較（検索手段として用いられる）、即ち見つけられたビデオマネージャ指示子のバックアップによる曖昧チェックの結果から、直接見つけられる。
【０００９】
ビデオマネージャがフラグメント化されると、ビデオマネージャの位置は、ビデオマネージャの最初のクラスタ番号と、第１又は第２のファイルアロケーションテーブルとを用いて完全に再構成される。この場合の用語であるファイルアロケーションテーブルは、関係する情報を含むブロックの番号を指し示すポインタを表す。第１及び第２のファイルアロケーションテーブルは同一であり、従って、この方法で提供された冗長は、フラグメント化された情報ブロックを見つけるために十分な信頼性を保証する。
【００１０】
規則として、フラグメント化されないＤＶＤ−ＲＯＭ又はＤＶＤ−ムービの場合、ファイルアロケーションテーブルを介する遠回りのルートが不必要とある。それは、ビデオマネージャの最初のメモリブロックが一度見つかると、ビデオマネージャの位置が直ぐに完全に知られるからである。
【００１１】
ビデオマネージャ内に含まれたコンテンツディレクトリが、一度この方法で再構成されると、ファイルシステム又はコンテンツディレクトリが損傷されたとしても、記録媒体は完全に再生することができる。
【００１２】
記録媒体のコンテンツディレクトリに対応する情報は、コンテンツディレクトリに関係する障害を有する情報媒体を再生することができ、他方で再生に対する絶対的な必須要件である、効果的な方法で再構成される。このような方法で設計された再生装置について、異なるファイルシステムを有する記録媒体を再生するだけでなく、損傷を受けたコンテンツディレクトリを有する記録媒体を再生することも可能となる。
【００１３】
【発明の実施の形態】
本発明を、図面を参照する以下の文書の中で詳細に説明する。
【００１４】
図１、３及び４に表されたように、情報ブロックを含む記録媒体は、コンピュータ内のハードディスク、ＣＤ−ＲＯＭ又はＤＶＤとして設定されるかどうかに依存して、根本的に異なるファイルシステムを有する。このファイルシステムは、特定のファイルにアクセスしようとするものである。これら構造は異なるけれども、１つの共通の特徴は、情報媒体を再生するために備えられたコンテンツディレクトリである。コンテンツディレクトリが失敗又は損傷されると、情報ブロックを有する記録媒体を再生することが不可能となるということを、最初から仮定しておかなければならない。それは、情報ブロック内に記憶された情報の分割及びインターリービングに起因して、ＣＤ音声に専用となる時間符号を情報を配置するために用いることができないからである。なぜなら、規則及びＣＤに対照して、コンテンツディレクトリが、情報ブロックに分散された１つの完全なバージョンの中に存在し、更に所望のファイルに導かれるルートが、記録媒体のタイプに依存して異なるからである。例えば、図１は、このためにコンピュータのハードディスクにおけるＭＳ−ＤＯＳパーティションのデータ構造を表している。これは、ブートセクタＢＳと称されるものと、第１のファイルアロケーションテーブルＦＡＴと称されるものと、第２のファイルアロケーションテーブルＦＡＴと称されるものと、クラスタＣＬと称されるものに分割されたファイルスペースＦＳと称されるものとを含む。ビートセクタＢＳは、リスト番号ＬＮに対応する番号０を有しており、アロケーションテーブルＦＡＴは、ファイルスペースＦＳ内の全てのクラスタＣＬのリストを含む。次に、クラスタＣＬは、セクタ番号を含み、ファイルスペースと称されるものがクラスタＣＬの整数番号を含む。ファイルアロケーションテーブルＦＡＴ内の各エントリは、後続するクラスタＣＬの番号、即ちクラスタ番号ＣＬＮと称されるものを含み、最後のクラスタＬＣのマークが提供され、それがファイルの最後を示す。ここで詳細に記載されていない更なる特別な値は、クラスタＣＬが無視され又は損傷され及び用いることができないことを示す。第１のファイルアロケーションテーブルＦＡＴと、第２のファイルアロケーションテーブルＦＡＴとは同じであり、対応するリスト番号ＬＮも有する。また、ファイル配置Ｄａｔは、図１に対応して、ファイルの端を指示するリスト番号ＬＮ１２７のエントリＬＣと共に、例えばリスト番号ＬＮ１２３〜１２７によって指示される。これは、５つのクラスタＣＬの長さを有するファイルが、ファイルスペースＦＳ内にクラスタ番号ＣＬＮ１２３から配置されることを意味する。
【００１５】
クラスタＣＬに分割されたファイルスペースＦＳは、ファイル及びディレクトリと称されるものを含む。次にディレクトリは、ファイル名、ファイル長、読み出し専用のようなファイル属性、及びファイルアロケーションテーブルＦＡＴ内の第１のクラスタＣＬの番号を含むエントリを有する。
【００１６】
例として図１を用いて、ファイル名がビデオ情報ＶＩＤＥＯ．ＩＦＯであると仮定する。それは、５つのクラスタＣＬを有するので、ファイルは１０２４０バイト長であり、ファイル属性読み出し専用識別子は読み出し専用状態を示し、ファイル内の第１のクラスタＣＬはクラスタ番号ＣＬＮ１２３を有する。図２は、例として、クラスタ番号ＣＬＮ１２３を有するクラスタＣＬの形態を表している。名前ビデオ情報ＶＩＤＥＯ．ＩＦＯを有するファイル内の第１のクラスタＣＬの最初の１２バイトは、ビデオマネージャ指示子ＶＭＧを含み、次の４バイトは、ビデオマネージャの端アドレスＶＭＧ＿ＥＡを示す。
【００１７】
本発明によれば、ビデオ情報ＶＩＤＥＯ．ＩＦＯ名を有するファイルである、配置されたファイルにアクセスするために、又はコンテンツディレクトリが破壊されたにも関わらずこのファイルを見つけるために、この場合、検索手段が、ビデオマネージャ指示子ＶＭＧ−ＢＺである指示子を見つけるために備えられる。この場合、ブロックは、ファイルスペースＦＳ内のブロック、即ち検索手段として用いられるマスクによって検索されるファイルスペースＦＳ内のクラスタＣＬである。この設定に基づいて、検索手段は、各クラスタＣＬ内の最初の１２バイトとビデオマネージャ指示子ＶＭＧ−ＢＺとの比較である。１２バイトに対応する幅を有するウィンドウが用いられるのが好ましく、そのコンテンツは、ビデオマネージャ指示子ＶＭＧ−ＢＺと比較される。ビデオマネージャ指示子ＶＭＧ−ＢＺが見つかると、ビデオマネージャ指示子ＶＭＧ−ＢＺに後続する４バイトが評価される。このために、指示子に後続するバイト列を決定するための評価手段が提供される。ビデオマネージャ指示子ＶＭＧ−ＢＺに後続するバイト列は、ビデオマネージャの端アドレスＶＭＧ＿ＥＡを指示する。そのとき、このビデオマネージャの端アドレスＶＭＧ＿ＥＡは、情報ブロックを構成する２０４８バイトのブロック数と認識する。このために、それは、ビデオマネージャの端アドレスＶＭＧ＿ＥＡに追加される。従って、名前ビデオ情報ＶＩＤＥＯ．ＩＦＯを有するファイルを再生するために必要となるビデオマネージャの位置及び長さが独自に決定される。それは、第１のクラスタ番号ＣＬＮが検索結果から既に知られているが、調査ポイントがビデオマネージャ指示子ＶＭＧ−ＢＺであるからである。本発明に基づく方法は、図５にフローチャートで表されている。既に説明されたように、クラスタＣＬの最初の１２バイトは、一致が見つかるまで、第１の方法の段階の中でビデオマネージャ指示子ＶＭＧ−ＢＺと比較される。比較結果が一致すれば、そのとき、見つけるべきファイルの最初のクラスタＣＬのクラスタ番号も分かる。そのとき、ビデオマネージャ長は、指示子に後続するバイト列を評価することによって決定される。従って、その結果、コンテンツディレクトリに対応する全ての情報が再構築される。図５によれば、更なる方法の段階が提供される。しかしながら、それは、記録媒体がフラグメント化されると仮定することが必要な場合にのみ備えられる必要がある。このような場合、ビデオマネージャの位置は、ビデオマネージャの第１のクラスタ番号ＣＬＮと、第１及び第２のファイルアロケーションテーブルＦＡＴとを用いて完全に再構築される。ポインタは、ファイルアロケーションテーブルＦＡＴ内に提供され、対応するブロックの番号又は対応するクラスタ番号ＣＬＮを指し示し、そこに後続する情報ブロックが配置される。第１及び第２のファイルアロケーションテーブルが同じであるために、これもまた、フラグメント化されたファイルを見つけるために十分な信頼性を保証する。
【００１８】
ＩＳＯ９６６０規格に従う記録媒体と、図３に表されたそのデータ構造とは、論理セクタ番号ＬＳＮを有する。０〜１６の論理セクタ番号をリザーブし、主ボリューム記述子ＰＶＤは、論理セクタ番号ＬＳＮ１６に配置され、ディレクトリエントリＤＲによって実質的に形成されたポインタＲｏｏｔＤｉｒを有する。この方法において、例として図３では、主ボリューム記述子ＰＶＤ内のポインタＲｏｏｔＤｉｒに対応して、論理セクタ番号ＬＳＮ２０を参照する。論理セクタ番号ＬＳＮへの参照は、ディレクトリエントリＤＲによって形成されたポインタＲｏｏｔＤｉｒにおける、論理セクタ番号ＬＳＮ５０から始まるタイトル領域Ｖｉｄｅｏ＿ＴＳ内に提供される。最後に、タイトル領域Ｖｉｄｅｏ＿ＴＳ内のディレクトリエントリＤＲはファイルを参照する。該ファイルは、比較的に異なる開始点の代わりに、論理セクタ番号ＬＳＮ１２３を持つようにされる（図１に表された例を維持するために）。しかし、この場合、ファイルは、ビデオタイトル情報ＶＩＤＥＯ＿ＴＳ．ＩＦＯに対応する。ファイルに達するルートが根本的に異なるけれども、ファイルは、専用装置の中で前述した方法を用いるＩＳＯ９６６０規格に従って、記録媒体上に見つけることができる。既に分かるように、ビデオタイトル情報ＶＩＤＥＯ＿ＴＳ．ＩＦＯもまた情報ブロックを含み、このファイルの中のその第１の情報ブロックがビデオマネージャ指示子ＶＭＧ−ＢＺを含むために、この特徴機能は、ファイルと、ビデオマネージャ長と、論理セクタ番号ＬＳＮとを見つけるために用いられ、そのファイル開始点は、クラスタ番号ＣＬＮで類似の方法で決定される。図６のフローチャートを用いて説明された方法は、この場合、ＵＤＦフォーマットに従って記録された情報を有する記録媒体用に提供されなければならないものと違いはない。
【００１９】
図４に表されたように、ＵＤＦフォーマットに従うデータ構造は、論理セクタ番号ＬＳＮと、更に論理ブロック番号ＬＢＮとを有する。論理ブロック番号ＬＢＮは、初期領域に必要とされる論理セクタ番号ＬＳＮに起因して、論理セクタ番号ＬＳＮから始まる。その結果、対応する論理セクタ番号ＬＳＮは、論理ブロック番号ＬＢＮの領域を引用し、式ＬＳＮ＝ＬＢＮ＋Ｘを用いてこの領域を計算する。Ｘは、パーティション又はファイル設定記述子ＦＳＤと称されるものが始まるそのところの論理セクタ番号ＬＳＮである。種々の記述子ＤＳは、ＵＤＦデータ構造の初期領域内に提供され、ファイル設定記述子ＦＳＤを参照し、アンカボリューム記述子ＡＶＤに参照される。アンカボリューム記述子ＡＶＤは、常に予め設定された論理セクタ番号２５６が与えられ、結果としてこの論理セクタ番号ＬＳＮで通常利用できる。ファイル設定記述子ＦＳＤは、ファイル識別記述子ＦＩＤへと導く。そのファイル識別記述子ＦＩＤは、ポインタＲｏｏｔＤｉｒ内に提供され、それらの部分は、ポインタＲｏｏｔＤｉｒに後続するファイルエントリＦＥと称されるものを参照する。ポインタＲｏｏｔＤｉｒに後続するファイルエントリＦＥは、ファイル識別記述子ＦＩＤへと導く。そのファイル識別記述子ＦＩＤは、タイトル領域Ｖｉｄｅｏ＿ＴＳ内に提供され、それらの部分は、タイトル領域Ｖｉｄｅｏ＿ＴＳに後続するファイルエントリＦＥを参照する。原理的に、ファイル識別記述子ＦＩＤは、指示子、ファイル長、（元の）属性及びファイルの論理セクタ番号ＬＳＮを含む。ファイルエントリＦＥは、ファイルが分割されるフラグメントの最初の論理セクタ番号ＬＳＮを含む。ＤＶＤビデオはフラグメント化を許さないために、ＤＶＤビデオのファイルエントリＦＥは、ファイル長及びブロック番号に関係するエントリのみを含む。
【００２０】
最後に、タイトル領域Ｖｉｄｅｏ＿ＴＳに後続するファイルエントリＦＥは、ビデオ管理情報ＶＧＭＩファイルを参照し、その最初の情報ブロックが、ビデオマネージャ指示子ＶＭＧ−ＢＺを含む。
【００２１】
ＵＤＦフォーマットの場合と同様に、ビデオマネージャＶＭＧ−ＢＺに後続する４バイトは、ビデオマネージャの端アドレスＶＭＧ＿ＥＡを指示する。従って、提案された方法もまた、ＵＤＦフォーマットに従って記録された情報を有する記録媒体用に用いることができる。そして、情報ブロックを含む記録媒体にファイルすることによって再生装置を提供し、異なるファイルフォーマットにおいて、たとえ記録媒体のコンテンツディレクトリに欠陥があっても、見つけることができ且つ再生することができる。
【００２２】
図６のフローチャートに表された方法の構成は、図５に表されたシーケンスと本質的に同じである。相違点は、記録媒体のタイプに対応することのみであり、論理セクタは、ビデオマネージャ指示子ＶＭＧ−ＢＺに対して検索される。問題は、ビデオマネージャにおいて図７に対応するビデオ管理情報ＶＧＭＩのファイルはバックアップとしても提供され、従って、検索手段として用いられたウィンドウを用いてビデオマネージャ指示子ＶＭＧ−ＢＺを見つけるとき、ビデオマネージャ指示子ＶＭＧ−ＢＺ又はビデオマネージャ指示子ＶＭＧ−ＢＺのバックアップの一方が見つかるかどうかをを絶対的に確定することができないことを意味する。これは、曖昧チェックを用いて解決されるのが好ましい。前記問題は、ビデオマネージャ指示子ＶＭＧ−ＢＺに後続する４バイトを用いて決定される、ビデオマネージャの端アドレスＶＭＧ＿ＥＡが単なる相関アドレスであるために生ずる。
【００２３】
曖昧チェックの２つのタイプは、以下の文章の例を用いて引用される。
【００２４】
第１のバージョンによれば、１つの試みは、整数ブロックフォーマットを満たし且つ生成するためのＥＣＣブロック数と別に、ビデオマネージャがビデオタイトル設定と称されるものに直ぐに後続されるかどうかを決定しようとすることである。この場合、見つけられたビデオマネージャ指示子ＶＭＧ−ＢＺは、ビデオマネージャ指示子ＶＭＧ−ＢＺのバックアップとして確認される。
【００２５】
曖昧チェックの第２のタイプは、０よりも大きいビデオマネージャ情報項目ＶＧＭＩと、ビデオマネージャの領域についての情報としてビデオマネージャ情報項目ＶＧＭＩよりも大きいビデオマネージャとを評価することからなる。そして、ビデオマネージャの第１のセクタは、ビデオマネージャ指示子ＶＭＧ−ＢＺに加えて、ビデオマネージャの端アドレスＶＭＧ＿ＥＡと、ビデオマネージャ情報の端アドレスＶＧＭＩとの両方を含む、ビデオマネージャ情報テーブルを参照する。そのとき、ビデオマネージャ情報ＶＧＭＩのバックアップの開始点は、ビデオマネージャの端アドレスＶＭＧ＿ＥＡからビデオマネージャ情報の端アドレスＶＧＭＩを引くことによって決定される。これは、ビデオマネージャ指示子ＶＭＧ−ＢＺが検索手段を用いて見つけられた論理セクタ番号ＬＳＮが、ビデオマネージャ指示子ＶＭＧ−ＢＺ、又は該ビデオマネージャ指示子ＶＭＧ−ＢＺのバックアップであるかどうかについて、特有の関係を保証する。
【００２６】
従って、ビデオマネージャＶＭＧ−ＢＺの特有の確認又は配置は、記録媒体の情報がその中に記録されたデータフォーマットに関係なく、記録媒体のコンテンツディレクトリが利用できるかできないかとは別に、ビデオデータにアクセスすることを効果的に可能にする。
【００２７】
完全性のために、ビデオマネージャ情報ＶＧＭＩと区別して、図７に表されたビデオマネージャは、ビデオマネージャメニューＶＭＧＭ＿ＶＯＢＳに対するビデオオブジェクトと、ディスプレイ制御情報ＰＣＩと、データ検索情報ＤＳＩとを含むことも言及している。
【図面の簡単な説明】
【図１】ハードディスクにおけるデータ構造の概略図である。
【図２】ハードディスクにおけるファイルの最初のクラスタの構造の概略図である。
【図３】規格ＩＳＯ９６６０に従うデータ構造の概略図である。
【図４】ＵＤＦフォーマットに従うデータ構造の概略図である。
【図５】ハードディスクにおけるコンテンツディレクトリの再構成のフローチャートである。
【図６】ＤＶＤのコンテンツディレクトリの再構成のフローチャートである。
【図７】ビデオマネージャの設計の概略図である。
【図１】
0004496578.tif 000002
【図２】
0004496578.tif 000003
【図３】
0004496578.tif 000004
【図４】
0004496578.tif 000005
【図５】
0004496578.tif 000006
【図６】
0004496578.tif 000007
【図７】
0004496578.tif 000008